(57)【特許請求の範囲】
【請求項１】
複数の導線が敷設された配線ダクトに取り付けて使用される配線ダクト用プラグであって、
回転可能な回転体と、
一対の不動電極端子と、
前記回転体とともに回転して、前記複数の導線と前記一対の不動電極端子とを電気的に接続する接続位置と、電気的な接続を解除する解除位置とをとる複数の可動電極端子と、を備え、
前記接続位置において、前記複数の可動電極端子のうち、前記複数の導線よりも１以上少ない複数の可動電極端子は、それぞれ複数の導線よりも１以上少ない導線に接続するとともに基端部が１つに接合されて前記一方の不動電極端子に接続し、残りの可動電極端子は、前記残りの導線と前記他方の不動電極端子とを接続する、
ことを特徴とする配線ダクト用プラグ。
【請求項２】
前記回転体は、内部空間を二分する絶縁壁を備え、
前記複数の導線よりも１以上少ない可動電極端子は、前記絶縁壁を挟んで前記内部空間の一方側に配置され、
前記残りの可動電極端子は、前記絶縁壁を挟んで前記内部空間の他方側に配置されている、
ことを特徴とする請求項１に記載の配線ダクト用プラグ。
【請求項３】
前記複数の可動電極端子は、前記基端部近傍に変形中心を有する。
ことを特徴とする請求項１又は２に記載の配線ダクト用プラグ。
【請求項４】
複数の導線及び一対の信号線が敷設された配線ダクトに取り付けて使用される配線ダクト用プラグであって、
一対の不動信号端子と、
前記回転体とともに回転して、前記接続位置において、前記一対の信号線と前記一対の不動信号端子とを電気的に接続し、前記解除位置において、電気的な接続を解除する一対の可動信号端子と、を備え、
前記接続位置において、前記一方の可動信号端子は、前記一方の信号線と前記一方の不動信号端子とを接続し、前記他方の可動信号端子は、前記他方の信号線と前記他方の不動信号端子とを接続する、
ことを特徴とする請求項１ないし３のいずれか１項に記載の配線ダクト用プラグ。
【請求項５】
複数の導線及び一対の信号線が敷設された配線ダクトに取り付けて使用される配線ダクト用プラグであって、
一対の不動信号端子と、
前記回転体とともに回転して、前記接続位置において、前記一対の信号線と前記一対の不動信号端子とを電気的に接続し、前記解除位置において、電気的な接続を解除する一対の可動信号端子と、を備え、
前記接続位置において、前記一方の可動信号端子は、前記一方の信号線と前記一方の不動信号端子とを接続し、前記他方の可動信号端子は、前記他方の信号線と前記他方の不動信号端子とを接続し、
前記一方の可動信号端子は、前記絶縁壁の一方側に配置され、
前記他方の可動信号端子は、前記絶縁壁の他方側に配置されている、
ことを特徴とする請求項２に記載の配線ダクト用プラグ。
【請求項６】
複数の導線及び一対の信号線が敷設された配線ダクトに取り付けて使用される配線ダクト用プラグであって、
前記複数の可動電極端子は、前記基端部近傍に変形中心を有し、
さらに一対の不動信号端子と、
前記回転体とともに回転して、前記接続位置において、前記一対の信号線と前記一対の不動信号端子とを電気的に接続し、前記解除位置において、電気的な接続を解除する一対の可動信号端子と、を備え、
前記接続位置において、前記一方の可動信号端子は、前記一方の信号線と前記一方の不動信号端子とを接続し、前記他方の可動信号端子は、前記他方の信号線と前記他方の不動信号端子とを接続し、
前記一方の可動信号端子は、前記絶縁壁の一方側に配置され、
前記他方の可動信号端子は、前記絶縁壁の他方側に配置されている、
ことを特徴とする請求項２に記載の配線ダクト用プラグ。
【請求項７】
前記一対の可動信号端子は、基端部近傍に変形中心を有する、
ことを特徴とする請求項４ないし６に記載の配線ダクト用プラグ。
【発明の詳細な説明】
【技術分野】
【０００１】
本発明は、天井に敷設された配線ダクトに取り付けて使用する配線ダクト用プラグに関する。
【背景技術】
【０００２】
従来、配線ダクト用プラグにおいて、電気的な切り替え手段を備えたものが知られている（特許文献１参照）。
このものは、公開特許公報の要約の解決手段に、【０００３】
「複数の導体２１が収容された配電ダクト２０に電気的及び機械的に接続されるプラグ１である。配電ダクト２０の内部に挿着されて配電ダクト２０に係止される挿着部２と、挿着部２に連設されて配電ダクト２０の外部に露出する露出部３とからなるプラグ本体４を備える。挿着部２に任意の導体２１に電気的に接続可能な導電部１１を設ける。プラグ本体４に任意の導体２１を切り替えて導電部１１と電気的に接続させる電気的切り替え手段１０を設ける。」
と記載されている。
【先行技術文献】
【特許文献】
【０００４】
【特許文献１】特開２００１−１５５５３４号公報
【発明の概要】
【発明が解決しようとする課題】
【０００５】
しかしながら、特許文献１によると、電気的な切り替え手段は、切り替のための可動部分を有しているため、動作信頼性が低いという問題があった。【０００６】
本発明は、上述した事情に鑑みてなされたものであり、切り替えのための可動部分を持たず、したがって、動作信頼性の高い配線ダクト用プラグを提供することを目的とする。
【課題を解決するための手段】
【０００７】
上述の目的を達成するため、本発明は、複数の導線が敷設された配線ダクトに取り付けて使用される配線ダクト用プラグであって、回転可能な回転体と、一対の不動電極端子と、回転体とともに回転して、複数の導線と一対の不動電極端子とを電気的に接続する接続位置と、電気的に接続を解除する解除位置とをとる複数の可動電極端子と、を備え、接続位置において、複数の可動電極端子のうち、複数の導線よりも１以上少ない複数の可動電極端子は、それぞれ複数の導線よりも１以上少ない導線に接続するとともに基端部が１つに接合されて一方の不動電極端子に接続し、残りの可動電極端子は、残りの導線と他方の不動電極端子とを接続する、ことを特徴とする。
【発明の効果】
【０００８】
本発明によれば、複数の可動電極端子は、基端側で１つに接合されている。したがって、複数の可動電極端子は、接続位置において、複数の導線と一方の不動電極端子とを電気的に接続する。このため、例えば、複数の可動電極端子は、複数の導線から１つを選択することなしに、いずれの導線であっても、一方の不動電極端子に電気的に接続することができる。すなわち、複数の導線から１つの導線を選択する（切り替える）ための可動部分が不要であり、その分、動作信頼性を高めることができる。なお、残りの可動電極端子は、残りの導線と他方の不動電極端子とを接続する。
【図面の簡単な説明】
【０００９】
【図１】プラグ２の斜視図である。
【図２】プラグ２の正面図である。
【図３】プラグ２の一部を省略した右側面図である。
【図４】プラグ２の絶縁壁２１、可動電極端子２ａ〜２ｄ、可動信号端子２ｆ，２ｇ、不動電極端子２ａ−ｃ´，２ｄ´、及び不動信号端子２ｆ´，２ｇ´を説明する正面図である。
【図５】プラグ２の絶縁壁２１、可動電極端子２ａ〜２ｄ、可動信号端子２ｆ，２ｇ、不動電極端子２ａ−ｃ´，２ｄ´、及び不動信号端子２ｆ´，２ｇ´を説明する背面図である。
【図６】プラグ２の絶縁壁２１、可動電極端子２ａ，２ｄ、可動信号端子２ｇ、不動電極端子２ｄ´、及び不動信号端子２ｆ´，２ｇ´を説明する右側面図である。
【図７】図７（Ａ）は配線ダクト１Ａの長手方向に直交する断面図、図７（Ｂ）はプラグ１の可動電極端子１ａ〜１ｄ、及び不動電極端子１ａ−ｃ´，１ｄ´を説明する正面模式図、図７（Ｃ）はプラグ１の可動電極端子１ａ，１ｂ，１ｄを説明する平面模式図である。
【図８】図８（Ａ）は配線ダクト２Ａの長手方向に直交する断面図、図８（Ｂ）はプラグ２の可動電極端子２ａ〜２ｄ、可動信号端子２ｆ，２ｇ、不動電極端子２ａ−ｃ´，２ｄ´、及び不動信号端子２ｆ´，２ｇ´を説明する正面模式図、図８（Ｃ）はプラグ２の可動電極端子２ａ，２ｂ，２ｄ、及び可動信号端子２ｆを説明する平面模式図である。
【図９】図９（Ａ）は配線ダクト３Ａの長手方向に直交する断面図、図９（Ｂ）はプラグ３の可動電極端子３ａ，３ｂ，３ｄ，３ｅ、及び不動電極端子３ａｂ´，３ｄｅ´を説明する正面模式図、図９（Ｃ）はプラグ３の可動電極端子３ａ，３ｂ，３ｄ，３ｅを説明する平面模式図である。
【図１０】図１０（Ａ）は配線ダクト４Ａの長手方向に直交する断面図、図１０（Ｂ）はプラグ４の可動電極端子４ａ，４ｂ，４ｄ，４ｅ、及び不動電極端子４ａｂ´，４ｄｅ´を説明する正面模式図、図１０（Ｃ）はプラグ４の可動電極端子４ａ，４ｂ，４ｄ，４ｅを説明する平面模式図である。
【図１１】図１１（Ａ）は図７（Ａ）の配線ダクト１Ａに使用されるプラグ１を説明する斜視図、図１１（Ｂ）は同じく平面図、図１１（Ｃ）は同じく右側面図、図１１（Ｄ）は同じく左側面図、図１１（Ｅ）は同じく正面図である。
【図１２】図１２（Ａ）は図８（Ａ）の配線ダクト２Ａに使用されるプラグ２を説明する斜視図、図１２（Ｂ）は同じく平面図、図１２（Ｃ）は同じく右側面図、図１２（Ｄ）は同じく左側面図、図１２（Ｅ）は同じく正面図である。
【図１３】図１３（Ａ）は図９（Ａ）の配線ダクト３Ａに使用されるプラグ３を説明する斜視図、図１３（Ｂ）は同じく平面図、図１３（Ｃ）は同じく右側面図、図１３（Ｄ）は同じく左側面図、図１３（Ｅ）は同じく正面図である。
【図１４】図１４（Ａ）は図１０（Ａ）の配線ダクト４Ａに使用されるプラグ４を説明する斜視図、図１４（Ｂ）は同じく平面図、図１４（Ｃ）は同じく右側面図、図１４（Ｄ）は同じく左側面図、図１４（Ｅ）は同じく正面図である。
【図１５】図１５（Ａ）は図７（Ａ）の配線ダクト１Ａの拡大図であり、図１５（Ｂ）は図８（Ａ）の配線ダクト２Ａの拡大図である。
【図１６】図１６（Ａ）はプラグ２の右側面図、図１６（Ｂ）は図１６（Ａ）のＡ−Ａ線矢視図、図１６（Ｃ）は、図１６（Ａ）のＢ−Ｂ線矢視図である。
【図１７】図１７（Ａ）はプラグ４の絶縁壁２１、その前面側２１Ａの可動電極端子４ａ，４ｂ、及びその後面側２１Ｂの可動電極端子４ｄ，４ｅを示す斜視図であり、図１７（Ｂ）は同じく左側面図である。
【発明を実施するための形態】
【００１０】
以下、本発明を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
＜実施形態１＞
【００１１】
図１〜図１７を参照して本発明を適用した実施形態１に係る配線ダクト用プラグ（以下単にプラグという。）１〜４について説明する。なお、図１〜図３に矢印で示す符号ＵＰ，ＦＲ，ＲＨは、この順に、プラグ２の上方，前方，右方を示している。
まず、４つのプラグ１〜４の概略を説明する。
【００１２】
プラグ１は、例えば、欧州・アジア向け（以下、ＣＥ仕様という。）のＡ社の配線ダクト１Ａ（図７（Ａ）参照）に使用するプラグである。このプラグ１については、後に、図７及び図１１を参照して説明する。
【００１３】
プラグ１は、４個の可動電極端子１ａ〜１ｄを有している。このうち３個の可動電極端子１ａ〜１ｃは、絶縁壁２１の前面側２１Ａに配設されるとともに、基端部Ｋ１が１つに接合されて一方の不動電極端子１ａ−ｃ´に電気的に接続される。残りの可動電極端子１ｄは、絶縁壁２１の後面側２１Ｂに配設されて他方の不動電極端子１ｄ´に電気的に接続される。
【００１４】
プラグ２は、例えば、ＣＥ仕様のＢ社（Ａ社とは異なる）の配線ダクト２Ａ（図８（Ａ）参照）に使用するプラグである。このプラグ２については、後に、図８及び図１２を参照して説明する。
【００１５】
プラグ２は、４個の可動電極端子２ａ〜２ｄを有している。このうち３個の可動電極端子２ａ〜２ｃは、絶縁壁２１の前面側２１Ａに配設されるとともに、基端部Ｋ２が１つに接合されて一方の不動電極端子２ａ−ｃ´に電気的に接続される。
【００１６】
さらに、プラグ２は、２個の可動信号端子２ｆ，２ｇを有している。このうち可動信号端子２ｇは、絶縁壁２１の前面側２１Ａに配設されるとともに、不動信号端子２ｇ´に電気的に接続される。また、残りの可動信号端子２ｆは、絶縁壁２１の後面側２１Ｂに配設されるとともに、不動信号端子２ｆ´に電気的に接続される。
【００１７】
プラグ３は、例えば、アメリカ・カナダ向け（以下、ＵＬ仕様という。）のＡ社の配線ダクト３Ａ（図９（Ａ）参照）に使用するプラグである。このプラグ３については、後に、図９及び図１３を参照して説明する。
【００１８】
プラグ３は、４個の可動電極端子３ａ，３ｂ，３ｄ，３ｅを有している。このうち２個の可動電極端子３ａ，３ｂは、絶縁壁２１の前面側２１Ａに配設されるとともに、基端部Ｋ３ａが１つに接合されて一方の不動電極端子３ａｂ´に電気的に接続される。残りの２個の可動電極端子３ｄ，３ｅは、絶縁壁２１の後面側２１Ｂに配設されるとともに、基端部Ｋ３ｂが１つに接合されて他方の不動電極端子３ｄｅ´に電気的に接続される。
【００１９】
プラグ４は、例えば、ＵＬ仕様のＢ社の配線ダクト４Ａ（図１０（Ａ）参照）に使用するプラグである。このプラグ４については、後に、図１０及び図１４を参照して説明する。
【００２０】
プラグ４は、４個の可動電極端子４ａ，４ｂ，４ｄ，４ｅを有している。このうち２個の可動電極端子４ａ，４ｂは、絶縁壁２１の前面側２１Ａに配設されるとともに、基端部Ｋ４ａが１つに接合されて一方の不動電極端子４ａｂ´に電気的に接続される。残りの２個の可動電極端子４ｄ，４ｅは、絶縁壁２１の後面側２１Ｂに配設されるとともに、基端部Ｋ４ｂが１つに接合されて他方の不動電極端子４ｄｅ´に電気的に接続される。
つづいて、４つのプラグ１〜４について説明する。
まず、図１〜図６を参照して、プラグ２について詳述する。
【００２１】
図１〜図６のうち、図１〜図３は、プラグ２を説明する図である。このうち、図１は、プラグ２の斜視図である。また、図２は、プラグ２の正面図である。また、図３は、プラグ２の一部を省略した右側面図である。
プラグ２は、図８（Ａ）に示す配線ダクト２Ａに取り付けて使用されるものである。
【００２２】
まず、図８（Ａ）を参照して、配線ダクト２Ａについて説明する。図８（Ａ）は配線ダクト２Ａの長手方向に直交する断面図である。配線ダクト２Ａは、上述のように、例えば、ＣＥ仕様のＢ社の配線ダクトである。配線ダクト２Ａは、断面形状が長方形状に形成され、下部に開口部２Ａａを有している。配線ダクト２Ａには、長手方向に沿って、内側の上段の右側に導線Ｌ１（＋）、左側に導線Ｌ２（＋）が配設され、中段の左側に信号線ＤＢ（＋）、右側に信号線ＤＢ（−）が配設され、そして、下段の左側に導線Ｌ３（＋）、右側に導線Ｎ１（−）が配設されている。また、開口部２Ａａには、左側と右側とにそれぞれレール部Ｒ，Ｒが敷設されている。
【００２３】
次に、図１〜図６を参照して、プラグ２について説明する。ここで、図４は、プラグ２の絶縁壁２１、可動電極端子２ａ〜２ｄ、可動信号端子２ｆ，２ｇ、不動電極端子２ａ−ｃ´，２ｄ´、及び不動信号端子２ｆ´，２ｇ´を説明する正面図である。また、図５は、プラグ２の絶縁壁２１、可動電極端子２ａ〜２ｄ、可動信号端子２ｆ，２ｇ、不動電極端子２ａ−ｃ´，２ｄ´、及び不動信号端子２ｆ´，２ｇ´を説明する背面図である。また、図６は、プラグ２の絶縁壁２１、可動電極端子２ａ，２ｄ、可動信号端子２ｇ、不動電極端子２ｄ´、及び不動信号端子２ｆ´，２ｇ´を説明する右側面図である。つまり、図４〜図６は、後に説明する回転体１７及び不動端子支持部３０の内側（内部空間）の構造を示す正面図、背面図、及び右側面図である。
【００２４】
プラグ２は、図１〜図６に示すように、回転体１７、一対の不動電極端子２ａ−ｃ´，２ｄ´、及び複数の可動電極端子２ａ，２ｂ，２ｃ，２ｄを備えている。ここで、不動電極端子２ａ−ｃ´，２ｄの「不動」とは、アダプター２Ｂに対して、ほとんど位置が変わらないという意味であり、可動電極端子２ａ〜２ｄの「可動」とは、アダプター２Ｂに対して、位置が変わる（ほぼ９０度回転する）という意味である。
【００２５】
回転体１７は、上下方向に向けた回転軸Ｃを中心に、回転可能となっている。回転体１７の後方には、前後方向に長く、左右方向に薄いほぼ直方体状のアダプター２Ｂが配設されている。アダプター２Ｂの左の壁面１１には、２個の爪部材１３，１４（図１２参照）が配設され、また、右の壁面１２には、２個の爪部材１５，１６が配設されている。
これら爪部材１３〜１６は、図８（Ａ）のレール部Ｒ，Ｒに乗る下面が平に形成されていて、左右の壁面１１，１２から出入り自在に突出されている。
【００２６】
アダプター２Ｂの下部には、前方に延びる支持部２２が形成されている。回転体１７は、この支持部２２によって回転可能に支持されている。回転体１７は、上下方向の中央部に、左右方向の延びる係合片１９，２０を有し、上下方向の下部に操作レバー１８を有している。この操作レバー１８を図１〜図３に示す接続位置Ｒ１に配置すると、可動電極端子２ａ〜２ｄの先端側の屈曲部Ｐ、及び係合片１９，２０がほぼ左右方向を向いた位置をとる。一方、操作レバー１８を、図１中の矢印Ｍ１方向にほぼ９０度回転させると、可動電極端子２ａ〜２ｄ、及び係合片１９，２０は、ほぼ前後方向を向くようになっている。解除位置に配置した操作レバー１８を、矢印Ｍ２方向にほぼ９０度戻すことにより、再度、接続位置Ｒ１に配置することができる。
【００２７】
なお、以下の説明では、操作レバー１８の接続位置Ｒ１に対応した可動電極端子２ａ〜２ｄのほぼ左右方向を向いた位置を「接続位置」といい、また、操作レバー１８の解除位置に対応した可動電極端子２ａ〜２ｄのほぼ前後方向を向いた位置を「解除位置」という。可動電極端子２ａ〜２ｄについては後に詳述する。
【００２８】
アダプター２Ｂの支持部２２の下方には、不動端子支持部３０が配設されている。この不動端子支持部３０は、図１に示すように、例えば、支持部２２のねじ孔２２ａに、上方から通したボルト部材（不図示）の外径が当接部３０ａに当たることにより、アダプター２Ｂに対して不動となっている。この不動端子支持部３０の内側に、板状の一対の不動電極端子２ａ−ｃ´，２ｄ´、及び不動信号端子２ｆ´，２ｇ´が固定されている。
【００２９】
回転体１７の内部空間は、ほぼ円筒状に形成されている。内部空間の前後方向の中央には、図４〜図６に示す絶縁壁２１が左右方向に向いた状態で、上下方向に長く配置されていて、内部空間を前後に二分している。内部空間には、複数の可動電極端子２ａ〜２ｄ、及び複数の可動信号端子２ｆ，２ｇが配設されている。
【００３０】
複数の可動電極端子２ａ〜２ｄのうち、３個の可動電極端子２ａ〜２ｃは、絶縁壁２１を挟んで、その前面側（一方側）２１Ａに配置されている。２個の可動電極端子２ａ，２ｂのうち、可動電極端子２ａは、上段の右側、また、可動電極端子２ｂは、上段の左側に配置され、可動電極端子２ｃは、下段の左側に配置されている。
【００３１】
３個の可動電極端子２ａ〜２ｃは、基端部（下端部）Ｋ２で１つに接合されている。そして、１つに接合されたのち、図４に示す接続位置において、上述の不動電極端子２ａ−ｃ´に接続される。
【００３２】
一方、複数の可動電極端子２ａ〜２ｄのうちの残りの可動電極端子２ｄは、絶縁壁２１を挟んで、その後面（他方側）２１Ｂ側に配置されている。可動電極端子２ｄは、下段の右側に配置されている。この可動電極端子２ｄは、図４に示す接続位置において、上述の不動電極端子２ｄ´に接続される。
【００３３】
また、複数の可動信号端子２ｆ，２ｇのうち、可動信号端子２ｇは、絶縁壁２１を挟んで、その前面側（一方側）２１Ａに配置されている。可動信号端子２ｇは、中段の右側に配置されている。可動信号端子２ｇの基端側は、図４に示す接続位置において、上述の不動信号端子２ｇ´に接続されている。
【００３４】
複数の可動信号端子２ｆ，２ｇのうち、可動信号端子２ｆは、絶縁壁２１を挟んで、その後面（他方側）２１Ｂ側に配置されている。可動信号端子２ｆは、中段の左側に配置されている。可動信号端子２ｆの基端側は、図４に示す接続位置において、上述の不動信号端子２ｆ´に接続されている。
図１〜図３に示す上述構成のプラグ２は、図８（Ａ）に示す配線ダクト２Ａに取り付けて使用される。
【００３５】
まず、プラグ２の操作レバー１８を、接続位置Ｒ１から矢印Ｍ１方向にほぼ９０度回転させて、解除位置に配置する。これにより、可動電極端子２ａ〜２ｄ、可動信号端子２ｆ，２ｇ、及び係合片１９，２０が前後方向を向く。プラグ２の前後方向を配線ダクト２Ａの長手方向に合わせ、配線ダクト２Ａの開口部２Ａａからプラグ２の上側を挿入する。爪部材１３〜１６がレール部Ｒ，Ｒに乗って、プラグ２全体を支持する。
【００３６】
なお、プラグ２を配線ダクト２Ａから外す際には、操作レバー１８を接続位置Ｒ１から矢印Ｍ１方向に回転させる。これにより、回転体１７の一部が、回転体１７とアダプター２Ｂとの間にある連動機構２３を後方に押して、爪部材１３〜１６を強制的に左右の壁面１１，１２に引っ込めるようになっている。
【００３７】
つづいて、操作レバー１８を矢印Ｍ２方向に回転させて、元の接続位置Ｒ１に戻す。これにより、可動電極端子２ａ〜２ｃが、導線Ｌ１（＋）〜Ｌ３（＋）と不動電極端子２ａ−ｃ´とを電気的に接続し、また、可動電極端子２ｄが、導線Ｎ１（−）と不動電極端子２ｄ´とを電気的に接続する。これと並行して、可動信号端子２ｆが、信号線ＤＢ（＋）と不動信号端子２ｆ´とを電気的に接続し、可動信号端子２ｇが、信号線ＤＢ（−）と不動信号端子２ｇ´を電気的に接続する。
なお、以上では、プラグ２がアダプター２Ｂと一体である場合について説明したが、必ずしも、プラグ２は、アダプター２Ｂと一体でなくてもよい。
ここで、主に図１〜図６、図８、図１２を参照して説明したプラグ２の作用、効果について整理する。
【００３８】
・プラグ２によれば、複数の可動電極端子２ａ〜２ｃは、基端部Ｋ２で１つに接合されている。したがって、複数の可動電極端子２ａ〜２ｃは、接続位置において、複数の導線Ｌ１（＋）〜Ｌ３（＋）と一方の不動電極端子２ａ−ｃ´とを電気的に接続する。このため、例えば、複数の可動電極端子２ａ〜２ｃは、複数の導線Ｌ１（＋）〜Ｌ３（＋）から１つを選択することなしに、いずれの導線Ｌ１（＋）〜Ｌ３（＋）であっても、一方の不動電極端子２ａ−ｃ´に電気的に接続することができる。すなわち、複数の導線Ｌ１（＋）〜Ｌ３（＋）から１つの導線を選択する（切り替える）ための可動部分が不要であり、その分、動作信頼性を高めることができる。なお、残りの可動電極端子２ｄは、残りの導線Ｎ１（−）と他方の不動電極端子２ｄ´とを接続する。
【００３９】
・プラグ２によれば、回転体１７は、内部空間を二分する絶縁壁２１を備え、複数の導線Ｌ１（＋）〜Ｌ３（＋），Ｎ１（−）よりも１以上少ない可動電極端子２ａ〜２ｃは、絶縁壁２１を挟んで内部空間の前面側（一方側）２１Ａに配置され、残りの可動電極端子２ｄは、絶縁壁２１を挟んで内部空間の後面側（他方側）２１Ｂに配置されている。このため、例えば、＋側の可動電極端子２ａ〜２ｃと、−側の可動電極端子２ｄとを、絶縁壁２１によって、きっちりと分けることができる。
【００４０】
・プラグ２によれば、複数の可動電極端子２ａ〜２ｄが、基端部近傍に、変形中心Ｏを有していて、先端の屈曲部Ｐから変形中心Ｏまでの距離を長く確保することができる。このため、可動電極端子２ａ〜２ｄの屈曲部ＰのストロークＳを大きくとることができるとともに、比較的小さい力で可動電極端子２ａ〜２ｄを接触位置に配置することができる。
【００４１】
・プラグ２によれば、複数の可動電極端子２ａ〜２ｄの外に、一対の可動信号端子２ｆ，２ｇを有しており、複数の可動電極端子２ａ〜２ｄ、及び一対の可動信号端子２ｆ，２ｇがいずれも回転体１７の狭い内部空間に配置されている。
【００４２】
・プラグ２によれば、一方の可動信号端子２ｇは、絶縁壁２１の前面側（一方側）２１Ａに配置され、他方の可動信号端子２ｆは、絶縁壁２１の後面側（他方側）２１Ｂに配置されている。このように、絶縁壁２１によって、一方の可動信号端子２ｇと他方の可動信号端子２ｆとを、きっちりと分けることができる。
【００４３】
・プラグ２によれば、一対の可動信号端子２ｆ，２ｇは、基端部近傍に変形中心Ｏを有していて、先端の屈曲部Ｐから変形中心Ｏまでの距離を長く確保することができる。このため、可動信号端子２ｆ，２ｇの屈曲部ＰのストロークＳを大きくとることができるとともに、比較的小さい力で可動信号端子２ｆ，２ｇを接触位置に配置することができる。
次に、図７〜図１０を参照して、プラグ１〜４について説明する。なお、図８を参照して説明するプラグ２については、上述の図１〜図６を参照して詳述した。
【００４４】
ここで、図７（Ａ）は、配線ダクト１Ａの長手方向に直交する断面図であり、図７（Ｂ）は、プラグ１の可動電極端子１ａ〜１ｄ、及び不動電極端子１ａ−ｃ´，１ｄ´を説明する正面模式図であり、図７（Ｃ）は、プラグ１の可動電極端子１ａ，１ｂ，１ｄを説明する平面模式図である。なお、図７（Ｂ）では、絶縁壁２１を省略している。
【００４５】
また、図８（Ａ）は、配線ダクト２Ａの長手方向に直交する断面図であり、図８（Ｂ）は、プラグ２の可動電極端子２ａ〜２ｄ、可動信号端子２ｆ，２ｇ、不動電極端子２ａ−ｃ´，２ｄ´、及び不動信号端子２ｆ´，２ｇ´を説明する正面模式図であり、図８（Ｃ）は、プラグ２の可動電極端子２ａ，２ｂ，２ｄ、及び可動信号端子２ｆを説明する平面模式図である。なお、図８（Ｂ）では、絶縁壁２１を省略している。
【００４６】
また、図９（Ａ）は、配線ダクト３Ａの長手方向に直交する断面図であり、図９（Ｂ）は、プラグ３の可動電極端子３ａ，３ｂ，３ｄ，３ｅ、及び不動電極端子３ａｂ´，３ｄｅ´を説明する正面模式図であり、図９（Ｃ）は、プラグ３の可動電極端子３ａ，３ｂ，３ｄ，３ｅを説明する平面模式図である。なお、図９（Ｂ）では、絶縁壁２１を省略している。
【００４７】
また、図１０（Ａ）は、配線ダクト４Ａの長手方向に直交する断面図であり、図１０（Ｂ）は、プラグ４の可動電極端子４ａ，４ｂ，４ｄ，４ｅ、及び不動電極端子４ａｂ´，４ｄｅ´を説明する正面模式図であり、図１０（Ｃ）は、プラグ４の可動電極端子４ａ，４ｂ，４ｄ，４ｅを説明する平面模式図である。なお、図１０（Ｂ）では、絶縁壁２１を省略している。
【００４８】
図７（Ａ）に示す配線ダクト１Ａは、上述のように、ＣＥ仕様のＡ社の配線ダクトである。配線ダクト１Ａは、長手方向に沿って、内側の上段に導線Ｌ１（＋），Ｌ２（＋）が配設され、下段に導線Ｌ３（＋），Ｎ１（−）が配設されている。また、左側の下段よりもさらに下側には、信号線ＤＢ（＋），ＤＢ（−）が配設されている。
【００４９】
この配線ダクト１Ａには、図７（Ｂ）、図７（Ｃ）に示すプラグ１が取り付けられる。プラグ１は、係合片１９，２０が配線ダクト１Ａの下方から当たり、導線Ｌ１（＋），Ｌ２（＋），Ｌ３（＋）がこの順に可動電極端子１ａ，１ｂ，１ｃに接触する。導線Ｎ１（−）は、可動電極端子１ｄに接触する。これら可動電極端子１ａ，１ｂ，１ｃは、基端部Ｋ１が１つも接合され、また、回転体１７の内側を前後に二分する絶縁壁２１を挟んで、前面側２１Ａに配置されている。また、可動電極端子１ｄは、絶縁壁２１の後面側２１Ｂに配置されている。
なお、信号線ＤＢ（＋），ＤＢ（−）は、回転体１７の外側に配置された形状の異なる信号端子１ｍ，１ｎに接触している。
【００５０】
図８（Ａ）に示す配線ダクト２Ａは、上述のように、ＣＥ仕様のＢ社の配線ダクトである。配線ダクト２Ａは、長手方向に沿って、内側の上段に導線Ｌ１（＋），Ｌ２（＋）が配設され、中段に信号線ＤＢ（＋），ＤＢ（−）が配設され、そして、下段に導線Ｌ３（＋），Ｎ１（−）が配設されている。
【００５１】
この配線ダクト２Ａには、図８（Ｂ）、図８（Ｃ）に示すプラグ２が取り付けられる。プラグ２は、係合片１９，２０が配線ダクト２Ａの下方から当たり、導線Ｌ１（＋），Ｌ２（＋），Ｌ３（＋）がこの順に可動電極端子２ａ，２ｂ，２ｃに接触する。導線Ｎ１（−）は、可動電極端子２ｄに接触する。これら可動電極端子２ａ，２ｂ，２ｃは、基端部Ｋ２が１つに接合され、また、回転体１７の内側を前後に二分する絶縁壁２１を挟んで、前面側２１Ａに配置されている。また、可動電極端子２ｄは、絶縁壁２１の後面側２１Ｂに配置されている。
【００５２】
なお、信号線ＤＢ（＋），ＤＢ（−）は、それぞれ可動信号端子２ｆ，２ｇに接触しており、可動信号端子２ｆは、絶縁壁２１の後面側２１Ｂに、また、可動信号端子２ｇは、絶縁壁２１の前面側２１Ａに配置されている。
【００５３】
図９（Ａ）に示す配線ダクト３Ａは、上述のように、ＵＬ仕様のＡ社の配線ダクトである。配線ダクト３Ａは、長手方向に沿って、内側の上段に導線Ｌ１（＋），Ｌ２（＋）が配設され、下段に導線Ｎ１（−），Ｎ２（−）が配設されている。また、左側の下段よりもさらに下側には、信号線ＤＢ（＋），ＤＢ（−）が配設されている。
【００５４】
この配線ダクト３Ａには、図９（Ｂ）、図９（Ｃ）に示すプラグ３が取り付けられる。プラグ３は、係合片１９，２０が配線ダクト３Ａの下方から当たり、導線Ｌ１（＋）が可動電極端子３ａに、また、導線Ｌ２（＋）が可動電極端子３ｂに接触する。また、導線Ｎ１（−）は、可動電極端子３ｄに接触し、導線Ｎ２（−）は、可動電極端子３ｅに接触する。これら可動電極端子３ａ，３ｂは、基端部Ｋ３ａが１つに接合され、また、絶縁壁２１を挟んで、前面側２１Ａに配置されている。また、可動電極端子３ｄ，３ｅは、基端部Ｋ３ｂが１つに接合され、絶縁壁２１を挟んで、後面側２１Ｂに配置されている。
なお、信号線ＤＢ（＋），ＤＢ（−）は、回転体１７の外側に配置された形状の異なる信号端子３ｍ，３ｎに接触している。
【００５５】
図１０（Ａ）に示す配線ダクト４Ａは、上述のように、ＵＬ仕様のＢ社の配線ダクトである。配線ダクト４Ａは、長手方向に沿って、内側の上段に導線Ｌ１（＋），Ｌ２（＋）が配設され、下段に導線Ｎ１（−），Ｎ２（−）が配設されている。
【００５６】
この配線ダクト４Ａには、図１０（Ｂ）、図１０（Ｃ）に示すプラグ４が取り付けられる。プラグ４は、係合片１９，２０が配線ダクト４Ａの下方から当たり、導線Ｌ１（＋）が可動電極端子４ａに、また、導線Ｌ２（＋）が可動電極端子４ｂに接触する。また、導線Ｎ１（−）は、可動電極端子４ｄに接触し、導線Ｎ２（−）は、可動電極端子４ｅに接触する。これら可動電極端子４ａ，４ｂは、基端部Ｋ４ａが１つに接合され、また、絶縁壁２１を挟んで、前面側２１Ａに配置されている。また、可動電極端子４ｄ，４ｅは、基端部Ｋ４ｂが１つに接合され、絶縁壁２１を挟んで、後面側２１Ｂに配置されている。
図１１〜図１４を参照して、配線ダクト１Ａ〜４Ａに使用されるプラグ１〜４についてさらに説明する。
【００５７】
ここで、図１１（Ａ）は、図７（Ａ）の配線ダクト１Ａに使用されるプラグ１を説明する斜視図、図１１（Ｂ）は同じく平面図、図１１（Ｃ）は同じく右側面図、図１１（Ｄ）は同じく左側面図、図１１（Ｅ）は同じく正面図である。
【００５８】
また、図１２（Ａ）は、図８（Ａ）の配線ダクト２Ａに使用されるプラグ２を説明する斜視図、図１２（Ｂ）は同じく平面図、図１２（Ｃ）は同じく右側面図、図１２（Ｄ）は同じく左側面図、図１２（Ｅ）は同じく正面図である。
【００５９】
また、図１３（Ａ）は、図９（Ａ）の配線ダクト３Ａに使用されるプラグ３を説明する斜視図、図１３（Ｂ）は同じく平面図、図１３（Ｃ）は同じく右側面図、図１３（Ｄ）は同じく左側面図、図１３（Ｅ）は同じく正面図である。
【００６０】
また、図１４（Ａ）は、図１０（Ａ）の配線ダクト４Ａに使用されるプラグ４を説明する斜視図、図１４（Ｂ）は同じく平面図、図１４（Ｃ）は同じく右側面図、図１４（Ｄ）は同じく左側面図、図１４（Ｅ）は同じく正面図である。
図１１（Ａ）〜図１１（Ｅ）に示すように、プラグ１は、図７（Ａ）の配線ダクト１Ａに使用されるアダプター１Ｂと一体に構成されている。
【００６１】
アダプター１Ｂは、前後方向（配線ダクト１Ａの長手方向と同じ）に長い直方体状に形成されていて、左右の壁面１１，１２には出入り可能な爪部材１３〜１６が配設されている。アダプター１Ｂは、これら爪部材１３〜１６を配線ダクト１Ａのレール部Ｒ，Ｒに引っ掛けることにより、上側を配線ダクト１Ａの内部に入れた状態で、配線ダクト１Ａの取り付け位置に吊り下げられている。
【００６２】
プラグ１は、アダプター１Ｂによって回転可能に支持されている。プラグ１は、回転軸Ｃ（図１参照）を上下方向に向けたほぼ円筒状の回転体１７と、その下端近傍に固定された操作レバー１８とを備えている。回転体１７からは、可動電極端子１ａ〜１ｄが突出されている。可動電極端子１ａ，１ｂは、回転体１７の上段から左右方向に突出され、また、可動電極端子１ｃ，１ｄは、下段から左右方向に延びている。そして、可動電極端子１ｃ，１ｄの下方からは、上述の爪部材１３〜１６とほぼ同じ高さで、係合片１９，２０が左右方向に延びている。
【００６３】
可動電極端子１ａ〜１ｄの前後方向の位置については、回転体１７の内部を前後に二分する絶縁壁２１（図１７参照）を挟むようにして、可動電極端子１ａ〜１ｃが絶縁壁２１の前面側２１Ａに、また、可動電極端子１ｄが絶縁壁２１の後面側２１Ｂに配置されている。
【００６４】
プラグ１は、操作レバー１８を図１１に示す接続位置Ｒ１から矢印Ｍ１方向にほぼ９０度回転させることにより、可動電極端子１ａ〜１ｄ及び係合片１９，２０が前後方向を向く。これにより、爪部材１３〜１６を介して、配線ダクト１Ａへの取り付けが可能となる。そして、操作レバー１８を矢印Ｍ２方向にほぼ９０度回転させて元の接続位置Ｒ１に戻すことにより、可動電極端子１ａ〜１ｄ及び係合片１９，２０が左右方向を向く。これにより、可動電極端子１ａ〜１ｃが導線Ｌ１（＋）〜Ｌ３（＋）に接触し、また、可動電極端子１ｄが導線Ｎ１（−）に接触するようになっている。
【００６５】
図１２（Ａ）〜図１２（Ｅ）に示すように、プラグ２は、図８（Ａ）の配線ダクト２Ａに使用されるアダプター２Ｂと一体に構成されている。これにより、可動信号端子２ｆ，２ｇが、それぞれ不動信号端子２ｆ´，２ｇ´に接触するようになっている。
【００６６】
プラグ２の、プラグ１とは異なる点は、回転体１７の内側の構造、すなわち可動電極端子の構造であり、その他の構成はプラグ１と同様である。なお、この異なる点については、図８（Ｂ）、図８（Ｃ）を参照して説明したとおりである。
図１３（Ａ）〜図１３（Ｅ）に示すように、プラグ３は、図９（Ａ）の配線ダクト３Ａに使用されるアダプター３Ｂと一体に構成されている。
【００６７】
プラグ３の、プラグ１とは異なる点は、回転体１７の内側の構造、すなわち可動電極端子の構造であり、その他の構成はプラグ１と同様である。なお、この異なる点については、図９（Ｂ）、図９（Ｃ）を参照して説明したとおりである。
図１４（Ａ）〜図１４（Ｅ）に示すように、プラグ４は、図１０（Ａ）の配線ダクト４Ａに使用されるアダプター４Ｂと一体に構成されている。
【００６８】
プラグ４の、プラグ１とは異なる点は、回転体１７の内側の構造、すなわち可動電極端子の構造であり、その他の構成はプラグ１と同様である。なお、この異なる点については、図１０（Ｂ）、図１０（Ｃ）を参照して説明したとおりである。
ここで、主に図７、図１１を参照して説明したプラグ１の作用、効果について整理する。
【００６９】
・プラグ１によれば、複数の可動電極端子１ａ〜１ｃは、基端部Ｋ１で１つに接合されている。したがって、複数の可動電極端子１ａ〜１ｃは、接続位置において、複数の導線Ｌ１（＋）〜Ｌ３（＋）と一方の不動電極端子１ａ−ｃ´とを電気的に接続する。このため、例えば、複数の可動電極端子１ａ〜１ｃは、複数の導線Ｌ１（＋）〜Ｌ３（＋）から１つを選択することなしに、いずれの導線Ｌ１（＋）〜Ｌ３（＋）であっても、一方の不動電極端子１ａ−ｃ´に電気的に接続することができる。すなわち、複数の導線Ｌ１（＋）〜Ｌ３（＋）から１つの導線を選択する（切り替える）ための可動部分が不要であり、その分、動作信頼性を高めることができる。なお、残りの可動電極端子１ｄは、残りの導線Ｎ１（−）と他方の不動電極端子１ｄ´とを接続する。
【００７０】
・プラグ１によれば、回転体１７は、内部空間を二分する絶縁壁２１を備え、複数の導線Ｌ１（＋）〜Ｌ３（＋），Ｎ１（−）よりも１以上少ない可動電極端子１ａ〜１ｃは、絶縁壁２１を挟んで内部空間の前面側（一方側）２１Ａに配置され、残りの可動電極端子１ｄは、絶縁壁２１を挟んで内部空間の後面側（他方側）２１Ｂに配置されている。このため、例えば、＋側の可動電極端子１ａ〜１ｃと、−側の可動電極端子１ｄとを、絶縁壁２１によって、きっちりと分けることができる。
【００７１】
・プラグ１によれば、複数の可動電極端子１ａ〜１ｄが、基端部近傍に、変形中心Ｏを有していて、先端の屈曲部Ｐから変形中心Ｏまでの距離を長く確保することができる。このため、可動電極端子１ａ〜１ｄの屈曲部ＰのストロークＳを大きくとることができるとともに、比較的小さい力で可動電極端子１ａ〜１ｄを接触位置に配置することができる。
主に図８、図１２を参照して説明したプラグ２の作用、効果は上述のとおりである。
つづいて、主に図９、図１３を参照して説明したプラグ３の作用、効果について整理する。
【００７２】
・プラグ３によれば、複数の可動電極端子３ａ，３ｂは、基端部Ｋ３ａで１つに接合され、また、複数の可動電極端子３ｄ，３ｅは、基端部Ｋ３ｂで１つに接合さている。したがって、複数の可動電極端子３ａ，３ｂは、接続位置において、複数の導線Ｌ１（＋），Ｌ２（＋）と一方の不動電極端子１ａｂ´とを電気的に接続する。また、複数の可動電極端子３ｄ，３ｅは、接続位置において、複数の導線Ｎ１（−），Ｎ２（−）と他方の不動電極端子１ｄｅ´とを電気的に接続する。このため、例えば、複数の可動電極端子３ａ，３ｂは、複数の導線Ｌ１（＋），Ｌ２（＋）から１つを選択することなしに、いずれの導線Ｌ１（＋），Ｌ２（＋）であっても、一方の不動電極端子１ａｂ´に電気的に接続することができる。また、複数の可動電極端子３ｄ，３ｅは、複数の導線Ｎ１（−），Ｎ２（−）から１つを選択することなしに、いずれの導線Ｎ１（−），Ｎ２（−）であっても、一方の不動電極端子１ｄｅ´に電気的に接続することができる。すなわち、複数の導線Ｌ１（＋），Ｌ２（＋）から１つの導線を選択する（切り替える）ための可動部分が不要であり、また、複数の導線Ｎ１（−），Ｎ２（−）から１つの導線を選択する（切り替える）ための可動部分が不要であり、その分、動作信頼性を高めることができる。
【００７３】
・プラグ３によれば、回転体１７は、内部空間を二分する絶縁壁２１を備え、複数の導線Ｌ１（＋），Ｌ２（＋），Ｎ１（−），Ｎ２（−）よりも１以上少ない可動電極端子３ａ，３ｂは、絶縁壁２１を挟んで内部空間の前面側（一方側）２１Ａに配置され、残りの可動電極端子３ｄ，３ｅは、絶縁壁２１を挟んで内部空間の後面側（他方側）２１Ｂに配置されている。このため、例えば、＋側の可動電極端子３ａ，３ｂと、−側の可動電極端子３ｄ，３ｅとを、絶縁壁２１によって、きっちりと分けることができる。
【００７４】
・プラグ３によれば、複数の可動電極端子３ａ，３ｂが、基端部Ｋ３ａ近傍に、変形中心Ｏを有し、また、複数の可動電極端子３ｄ，３ｅが、基端部Ｋ３ｂ近傍に、変形中心Ｏを有していて、先端の屈曲部Ｐから変形中心Ｏまでの距離を長く確保することができる。このため、可動電極端子３ａ，３ｂ，３ｄ，３ｅの屈曲部ＰのストロークＳを大きくとることができるとともに、比較的小さい力で可動電極端子３ａ，３ｂ，３ｄ，３ｅを接触位置に配置することができる。
なお、主に図１０、図１４を参照して説明したプラグ４の作用、効果は、上述のプラグ３と同様であるので、説明は省略する。
図１５（Ａ）は、図７（Ａ）の配線ダクト１Ａの拡大図であり、図１５（Ｂ）は、図８（Ａ）の配線ダクト２Ａの拡大図である。
また、図１６（Ａ）は、プラグ２の右側面図、図１６（Ｂ）は、図１６（Ａ）のＡ−Ａ線矢視図、図１６（Ｃ）は、図１６（Ａ）のＢ−Ｂ線矢視図である。
【００７５】
図１５（Ａ）に示すように、配線ダクト１Ａは、左右の導線Ｌ１（＋），Ｌ２（＋）間の距離が、例えば、２３ｍｍである。一方、図１５（Ｂ）に示すように、配線ダクト２Ａは、左右の導線Ｌ１（＋），Ｌ２（＋）間の距離が、例えば、２１ｍｍであり、差が２ｍｍ（＝２３ｍｍ−２１ｍｍ）ある。
【００７６】
そこで、この差である２ｍｍを埋めるように、図１６（Ａ）〜図１６（Ｃ）に示すように、可動電極端子２ａ〜２ｄ、可動信号端子２ｆ，２ｇの変形中心Ｏがそれぞれの先端の屈曲部Ｐからできるだけ遠い位置に設定されるようにして、ストロークＳを確保するようにした。
【００７７】
これにより、同じＣＥ仕様のそれぞれ異なるＡ社とＢ社のプラグ１，２を、それぞれの回転体１７の内側の構造を代えるだけで、共通とすることができる。すなわち、可動電極端子２ａ〜２ｄ、及び可動信号端子２ｆ、２ｇの配置等を代えるだけで、それ以外の回転体１７、アダプター、不動端子支持部３０等は、そのまま共通とすることができる。
【００７８】
また、このように、プラグ２の変形中心Ｏを、プラグ２の先端の屈曲部Ｐからできるだけ遠い位置に設定することにより、プラグ２を矢印Ｍ２方向（図１１参照）に回転させる際のプラグ２による抵抗を低減することができる。なお、同じＵＬ仕様のそれぞれ異なるＡ社とＢ社のプラグ３，４についても上述と同様である。
【００７９】
また、図１６（Ａ）〜図１６（Ｃ）に示すように、プラグ２の可動電極端子２ａ，２ｂ，２ｃの基端部Ｋ２を１つに接合して、これら可動電極端子２ａ，２ｂ，２ｃが電気的に一体となるようにし、絶縁壁２１の前面側２１Ａに位置するようにした。そして、可動電極端子２ｄは、絶縁壁２１の後面側２１Ｂに位置するようにした。
【００８０】
このように可動電極端子２ａ，２ｂ，２ｃの基端部Ｋ２を接続して電気的に一体化することにより、配線ダクト２Ａの施工者は、導線Ｌ１（＋），Ｌ２（＋），Ｌ３（＋）の３本を敷設してもよく、また、このうちの１本を敷設するようにしてもよい。
なお、以上では、プラグ２を例に説明したが、これは、プラグ１，３，４についても同様である。
【００８１】
図１７（Ａ）は、プラグ４の絶縁壁２１、その前面側２１Ａの可動電極端子４ａ，４ｂ、及びその後面側２１Ｂの可動電極端子４ｄ，４ｅを示す斜視図であり、図１７（Ｂ）は、同じく左側面図である。
【００８２】
図１７（Ａ）、図１７（Ｂ）に示すように、絶縁壁２１には、沿面距離Ｘを確保するために、前面側２１Ａには、絶縁リブ２１ａ，２１ｂを設け、また、後面側２１Ｂには、絶縁リブ２１ｃを設けている。
【００８３】
以上の実施形態において、プラグ１〜４は、それぞれアダプター１Ｂ〜４Ｂと一体に構成された場合を例に説明したが、アダプター１Ｂ〜４Ｂとは、別体に構成されていてもよい。
【符号の説明】
【００８４】
１〜４        プラグ（配線ダクト用プラグ）
１Ａ〜４Ａ    配線ダクト
１Ｂ〜４Ｂ    アダプター
１ａ〜１ｄ、２ａ〜２ｄ、３ａ，３ｂ，３ｄ，３ｅ、４ａ，４ｂ，４ｄ，４ｅ
可動電極端子
２ａ−ｃ´，２ｄ´    不動電極端子
２ｆ，２ｇ    可動信号端子
２ｆ´，２ｇ´    不動信号端子
１７          回転体
２１          絶縁壁
２１Ａ        前面側（一方側）
２１Ｂ        後面側（他方側）
ＤＢ（＋），ＤＢ（−）
信号線
Ｋ１，Ｋ２，Ｋ３ａ，Ｋ３ｂ，Ｋ４ａ，Ｋ４ｂ
基端部
Ｌ１（＋），Ｌ２（＋），Ｌ３（＋），Ｎ１（−），Ｎ２（−）
導線
Ｏ            変形中心
Ｐ            屈曲部
Ｒ１          接続位置
【図１】
0006982678.tif 000002
【図２】
0006982678.tif 000003
【図３】
0006982678.tif 000004
【図４】
0006982678.tif 000005
【図５】
0006982678.tif 000006
【図６】
0006982678.tif 000007
【図７】
0006982678.tif 000008
【図８】
0006982678.tif 000009
【図９】
0006982678.tif 000010
【図１０】
0006982678.tif 000011
【図１１】
0006982678.tif 000012
【図１２】
0006982678.tif 000013
【図１３】
0006982678.tif 000014
【図１４】
0006982678.tif 000015
【図１５】
0006982678.tif 000016
【図１６】
0006982678.tif 000017
【図１７】
0006982678.tif 000018